(57)【特許請求の範囲】
【請求項１】
先端部分に鈎部を有する伸縮棒と、前記伸縮棒が挿入される外管であって前記鈎部が該外管の一方端部開口から出没する外管とからなり、
前記伸縮棒と前記外管とがバネ体を介して接続されていて、常には前記伸縮棒先端部分の鈎部が前記外管の一方端部開口内に没入状態におかれており、前記伸縮棒を前記外管の一方端部開口側へ押圧して前記バネ体を伸張または伸縮させることで、前記鈎部が一方端部開口から突出するようにしたことを特徴とする釣り糸結束具。
【請求項２】
伸縮棒先端部分の鈎部が外管の一方端部開口内に没入状態におかれたとき、前記伸縮棒の鈎部先端部が前記外管の一方端部開口縁部に接触するようにしたことを特徴とする請求項１記載の釣り糸結束具。
【発明の詳細な説明】
【０００１】
【発明の属する技術分野】
本発明は、８の字結びやチチワ結び、投げ縄結びといった釣り糸の結束を簡単にかつ確実に行うことができる釣り糸結束具に関するものである。
【０００２】
【従来の技術】
釣り糸の結束「結び」には、従来よりさまざまな方法がある。中でも８の字結びは、二本の釣り糸を結ぶ方法であり、例えば図１９に示すような鮎釣りの鼻環１の連結具２を釣り糸Ｆに結束したり、かがしら針の連結糸を結束する場合などに多く用いられている。一方、チチワ結びや投げ縄結びも、例えば道糸を竿の穂先に取り付ける場合や、道糸にハリスを結束する場合など、釣り糸の仕掛けを作る場合に多く利用される。
【０００３】
これら８の字結びやチチワ結び、投げ縄結びは、仕掛け作りに多用される結束方法ではあるが、その結束は、複雑かつ細かな作業を必要とし、初心者や、老眼鏡の使用をせざるを得ない年配者にとっては大変に煩雑なものであった。
【０００４】
【発明が解決しようとする課題】
本発明は、このような観点に立って案出されたものであり、８の字結びやチチワ結び、投げ縄結びといった釣り糸の結束を簡単にかつ確実に行うことができる釣り糸結束具を提供することを目的とするものである。
【０００５】
【課題を解決するための手段】
上記目的を達成するため請求項１記載の発明は、先端部分に鈎部を有する伸縮棒と、前記伸縮棒が挿入される外管であって前記鈎部が該外管の一方端部開口から出没する外管とからなり、
前記伸縮棒と前記外管とがバネ体を介して接続されていて、常には前記伸縮棒先端部分の鈎部が前記外管の一方端部開口内に没入状態におかれており、前記伸縮棒を前記外管の一方端部開口側へ押圧して前記バネ体を伸張または伸縮させることで、前記鈎部が一方端部開口から突出するようにしたことを特徴とする釣り糸結束具をその要旨とした。
【０００６】
【０００７】
請求項２記載の発明は、伸縮棒先端部分の鈎部が外管の一方端部開口内に没入状態におかれたとき、前記伸縮棒の鈎部先端部が前記外管の一方端部開口縁部に接触するようにしたことを特徴とする請求項１記載の釣り糸結束具をその要旨とした。
【０００８】
【発明の実施の形態】
以下、本発明の釣り糸結束具を図面に示した一実施の形態に従って詳細に説明する。図１及び図２に示すように、本発明の釣り糸結束具１１は、伸縮棒１２と外管１３とからなる。伸縮棒１２は、例えば鋼、アルミ、ニッケルなどの金属材料、またはＡＢＳやＡＳなどの硬質のプラスチック材料からなる線状体であって、その先端部分１２ａに鈎部１４を設けたものである。この鈎部１４は、伸縮棒１２の先端部分１２ａを折り曲げ加工することで、または一体に成形することで作製したものに限らず、鈎部１４のみを別体に作製しておいて、後に伸縮棒１２の先端部分１２ａに溶接や接着などの方法で取り付けるようにしてもよい。また、伸縮棒１２の基端部分１２ｂには該伸縮棒１２を後述する外管１３の一方端部１３ａの開口１５側に押圧する押圧部１７が設けられている。尚、押圧部１７の伸縮棒１２の基端部分１２ｂへの固定方法としては、伸縮棒１２の材質に応じて溶接、蝋付け、接着剤、ネジ止めなど種々の方法を用いることができる。
【０００９】
外管１３は、例えば鋼、アルミ、ニッケルなどの金属材料、またはＡＢＳやＡＳなどの硬質のプラスチック材料からなる管状体であり、この外管１３内に前記伸縮棒１２が挿入されるようになっている。外管１３の内径は前記伸縮棒１２の鈎部１４が該外管１３の一方端部１３ａの開口１５から出没できるよう、鈎部１４の外径と同じかそれよりも僅かに大きい程度が好ましい。
【００１０】
図１及び図２に示す形態では、外管１３の一方端部１３ａの開口１５にカバー２０を設けていて、伸縮棒先端部分１２ａの鈎部１４が前記外管１３の一方端部１３ａの開口１５内に没入状態におかれたときには、前記伸縮棒１２の鈎部１４の先端部が前記カバー２０に接触して、使用時に糸Ｆが鈎部１４に引っ掛からないようになっている。
【００１１】
尚、図３に示すように、外管１３の一方端部１３ａの開口１５にカバー２０を設けないで、伸縮棒先端部分１２ａの鈎部１４が前記外管１３の一方端部１３ａの開口１５内に没入状態におかれたときに、前記伸縮棒１２の鈎部１４の先端部が前記外管１３の一方端部１３ａの開口１５縁部に直接接触するようにしてもよい。
【００１２】
図１〜図３に示す釣り糸結束具１１は、前記外管１３が伸縮棒１２よりも短く設けられていて、前記外管１３に伸縮棒１２を挿入したとき、前記伸縮棒１２の基端部分１２ｂが外管１３の他方端部１３ｂの開口１６側に突出した状態となっている。
【００１３】
この突出した基端部分１２ｂに押圧部１７が設けられていて、この押圧部１７を押圧することで、前記伸縮棒１２の先端部分１２ａの鈎部１４が外管１３の一方端部１３ａの開口１５から突出するようになっている。
【００１４】
また図１〜図３に示す形態では、伸縮棒１２と外管１３とがバネ体１５を介して接続されている。この形態では、伸縮棒１２の基端部分１２ｂに設けた押圧部１７と外管１３の他方端部１３ｂの開口１６との間にコイルバネ１８が取り付けられていて、常には前記伸縮棒１２の先端部分１２ａの鈎部１４が前記外管１３の一方端部１３ａの開口１５内に没入状態におかれており、図２に示すように前記伸縮棒１２の押圧部１７を押して前記外管１３の一方端部１３ａの開口１５側へ押し出して前記バネ体１８を伸縮させることで、前記鈎部１４が一方端部１３ａの開口１５から突出するようになっている。図１に示すように前記伸縮棒１２の押圧部１７による押圧を止めたとき、伸縮棒１２の先端部分１２ａの鈎部１４は前記バネ体１８の復元力によって元の位置に復帰するようになっている。
【００１５】
尚、バネ体１８としては、コイルバネに限らす、例えば板バネを用いることもできる。また、伸縮棒１２の基端部分１２ｂに設けた押圧部１７と、外管１３の他方端部１３ｂの開口１６との間にプラスチック製の蛇腹ホース（図示しない）をバネ体１８として配置し、この蛇腹ホース（図示しない）によるバネ力で伸縮棒１２の先端部分１２ａの鈎部１４を外管１３の一方端部１３ａの開口１５から出没させるようにすることもできる。
【００１６】
次に、上記釣り糸結束具の使用方法について説明する。まず、図４〜図８に示すように、本発明の釣り糸結束具１１を用いた８の字結びについて説明する。図４に示すように、２本の糸Ｆを束ねてループＲを形成する。次いで図５に示すように、このループＲ内に前記結束具１１の外管１３の一方端部分１３ａを通す。この後、図６に示すようにこの状態で前記外管１３の一方端部分１３ａを回転させて前記ループＲを捻り込む。
【００１７】
次いで、図７に示すように、結束具１１の押圧部１７を前記バネ体１８のバネ力に抗して押圧して、図７中矢印方向に前記伸縮棒１２の鈎部１４を外管１３の一方端部１３ａの開口１５から突出させて、鈎部１４を糸ＦのループＲを形成していない部分に掛け、この後、図８に示すようにバネ体１８の押圧力を緩めて前記鈎部１４を外管１３の一方端部１３ａの開口１５内に収めて前記外管１３の一方端部１３ａをループＲから引き抜くことで８の字結びができるようになっている。
【００１８】
次に、この釣り糸結束具を用いたチチワ結びについて説明する。まず図９に示すように、糸ＦでループＲを形成する。この後、図１０に示すように、ループＲ内に前記結束具１１の外管１３の一方端部１３ａを通す。この状態で図１１に示すように前記外管１３の一方端部１３ａを回転させて前記ループＲを捻り込む。次いで図１２に示すように、結束具１１の押圧部１７を前記バネ体１８のバネ力に抗して押圧して図１２中矢印方向に前記伸縮棒１２の鈎部１４を外管１３の一方端部１３ａの開口１５から突出させて、前記鈎部１４を糸ＦのループＲを形成していない部分に掛ける。この後、図１３に示すようにバネ体１８を緩めて前記鈎部１４を外管１３の一方端部１３ａの開口１５内に収めて前記外管１３の一方端部１３ａをループＲから引き抜くことでチチワ結びができるようになっている。
【００１９】
次に、この釣り糸結束具を用いた投げ縄結びについて説明する。まず図１４に示すように、糸ＦでループＲを形成する。この後、図１５に示すように、ループＲ内に前記結束具１１の外管１３の一方端部１３ａを通す。この状態で図１６に示すように前記外管１３の一方端部１３ａを回転させて前記ループＲを捻り込む。次いで図１７に示すように、結束具１１の押圧部１７を前記バネ体１８のバネ力に抗して押圧して図１７中矢印方向に前記伸縮棒１２の鈎部１４を外管１３の一方端部１３ａの開口１５から突出させて、前記鈎部１４を糸ＦのループＲを形成していない部分に掛ける。この後、図１８に示すようにバネ体１８を緩めて前記鈎部１４を外管１３の一方端部１３ａの開口１５内に収めて前記外管１３の一方端部１３ａをループＲから引き抜くことで投げ縄結びができるようになっている。
【００２０】
尚、本発明の範囲は、上記例に限定されるものではなく、例えば外管１３の周面に取り扱い性、グリップ性の向上を目的として、ゴム製の肉厚な把持部を設けるなど、特許請求の範囲に記載された範囲で自由に変更することができる。
【００２１】
【発明の効果】
本発明の釣り糸結束具にあっては、以上説明したようなものであるから、８の字結びやチチワ結び、投げ縄結びといった釣り糸の結束を簡単にかつ確実に行うことができる。
【００２２】
またこの釣り糸結束具にあっては、釣り糸の結びの種類が異なっていても、ほとんど同じ手順で結束作業ができる。
【図面の簡単な説明】
【図１】本発明の釣り糸結束具の使用状態を示す拡大断面図。
【図２】本発明の釣り糸結束具の別の使用状態を示す拡大断面図。
【図３】本発明の釣り糸結束具の別の形態を示す拡大断面図。
【図４】本発明の釣り糸結束具を用いた８の字結びの一過程を示す斜視図。
【図５】本発明の釣り糸結束具を用いた８の字結びの別の過程を示す斜視図。
【図６】本発明の釣り糸結束具を用いた８の字結びのさらに別の過程を示す斜視図。
【図７】本発明の釣り糸結束具を用いた８の字結びのさらに別の過程を示す斜視図。
【図８】本発明の釣り糸結束具を用いた８の字結びのさらに別の過程を示す斜視図。
【図９】本発明の釣り糸結束具を用いたチチワ結びの一過程を示す斜視図。
【図１０】本発明の釣り糸結束具を用いたチチワ結びの別の過程を示す斜視図。
【図１１】本発明の釣り糸結束具を用いたチチワ結びのさらに別の過程を示す斜視図。
【図１２】本発明の釣り糸結束具を用いたチチワ結びのさらに別の過程を示す斜視図。
【図１３】本発明の釣り糸結束具を用いたチチワ結びのさらに別の過程を示す斜視図。
【図１４】本発明の釣り糸結束具を用いた投げ縄結びの一過程を示す斜視図。
【図１５】本発明の釣り糸結束具を用いた投げ縄結びの別の過程を示す斜視図。
【図１６】本発明の釣り糸結束具を用いた投げ縄結びのさらに別の過程を示す斜視図。
【図１７】本発明の釣り糸結束具を用いた投げ縄結びのさらに別の過程を示す斜視図。
【図１８】本発明の釣り糸結束具を用いた投げ縄結びのさらに別の過程を示す斜視図。
【図１９】鮎釣りの鼻環の連結具を釣り糸に８の字結びで結束した状態を示す模式図。
【符号の説明】
１２・・・伸縮棒
１３・・・外管
１４・・・鈎部
１７・・・押圧部
１８・・・バネ体
Ｆ・・・糸
Ｒ・・・ループ
【図１】
0004808874.tif 000002
【図２】
0004808874.tif 000003
【図３】
0004808874.tif 000004
【図４】
0004808874.tif 000005
【図５】
0004808874.tif 000006
【図６】
0004808874.tif 000007
【図７】
0004808874.tif 000008
【図８】
0004808874.tif 000009
【図９】
0004808874.tif 000010
【図１０】
0004808874.tif 000011
【図１１】
0004808874.tif 000012
【図１２】
0004808874.tif 000013
【図１３】
0004808874.tif 000014
【図１４】
0004808874.tif 000015
【図１５】
0004808874.tif 000016
【図１６】
0004808874.tif 000017
【図１７】
0004808874.tif 000018
【図１８】
0004808874.tif 000019
【図１９】
0004808874.tif 000020